(57)【要約】      （修正有）【課題】全体が小型でかつ広画角でありながら、全ズーム範囲及び全面全体にわたり高い光学性能が容易に得られるズームレンズを提供する。【解決手段】負の第１レンズ群Ｌ１、正の第２レンズ群Ｌ２、中間群ＬＭ、正の最終レンズ群ＬＲより構成され、ズーミングに際して隣り合うレンズ群の間隔が変化するズームレンズであって、最終レンズ群ＬＲは１枚の正レンズＬｐからなり、物体側には負レンズ要素Ｌｎが配置され、広角端に比べて望遠端のズーム位置では第１レンズ群Ｌ１は物体側に位置し、広角端における全系の焦点距離ｆＷ、正レンズＬｐの焦点距離ｆｐ、負レンズ要素Ｌｎの焦点距離ｆｎ、第１レンズ群の焦点距離ｆ１、第２レンズ群の焦点距離ｆ２、負レンズ要素Ｌｎの物体側のレンズ面の曲率半径Ｌｎｒ１、負レンズ要素Ｌｎの像側のレンズ面の曲率半径Ｌｎｒ２を各々適切に設定する。【選択図】図１
2018084737.tif 000002
【特許請求の範囲】
【請求項１】
物体側より像側へ順に配置された、負の屈折力の第１レンズ群、正の屈折力の第２レンズ群、１つ以上のレンズ群を含む中間群、正の屈折力の最終レンズ群より構成され、ズーミングに際して隣り合うレンズ群の間隔が変化するズームレンズであって、
前記最終レンズ群は１枚の正レンズＬｐからなり、前記最終レンズ群の物体側には負レンズ要素Ｌｎが配置されており、広角端に比べて望遠端のズーム位置では前記第１レンズ群は物体側に位置し、
広角端における全系の焦点距離をｆＷ、前記正レンズＬｐの焦点距離をｆｐ、前記負レンズ要素Ｌｎの焦点距離をｆｎ、前記第１レンズ群の焦点距離をｆ１、前記第２レンズ群の焦点距離をｆ２、前記負レンズ要素Ｌｎの最も物体側のレンズ面の曲率半径をＬｎｒ１、前記負レンズ要素Ｌｎの最も像側のレンズ面の曲率半径をＬｎｒ２とするとき、
２．０＜ｆｐ／ｆＷ＜４．０
１．０＜（Ｌｎｒ２＋Ｌｎｒ１）／（Ｌｎｒ２−Ｌｎｒ１）＜１０．０
−６．５＜ｆｎ／ｆＷ＜−１．０
−１．３５＜ｆ１／ｆ２＜−０．５０
なる条件式を満足することを特徴とするズームレンズ。
【請求項２】
請求項１に記載のズームレンズにおいて、
−２．０＜ｆｐ／ｆｎ＜−０．５
なる条件式を満足することを特徴とするズームレンズ。
【請求項３】
広角端における前記正レンズＬｐの横倍率をβｐＷ、広角端における前記負レンズ要素Ｌｎの横倍率をβｎＷとするとき、
−２．０＜（１−βｎＷ２）×βｐＷ２＜−０．３
なる条件式を満足することを特徴とする請求項１又は２に記載のズームレンズ。
【請求項４】
広角端における前記正レンズＬｐの横倍率をβｐＷとするとき、
０．６＜βｐＷ＜０．９
なる条件式を満足することを特徴とする請求項１乃至３のいずれか１項に記載のズームレンズ。
【請求項５】
無限遠から至近へのフォーカシングに際し、前記負レンズ要素Ｌｎは像側へ移動することを特徴とする請求項１乃至４のいずれか１項に記載のズームレンズ。
【請求項６】
無限遠に合焦時で広角端から望遠端へのズーミングにおける前記負レンズ要素Ｌｎの移動量をＭｎ、無限遠に合焦時で広角端から望遠端へのズーミングにおける前記正レンズＬｐの移動量をＭｐとするとき、
−０．４０＜Ｍｐ／Ｍｎ＜−０．０５
なる条件式を満足することを特徴とする請求項１乃至５のいずれか１項に記載のズームレンズ。
【請求項７】
前記第２レンズ群の物体側又は像側に開口絞りを有し、広角端における前記開口絞りから負レンズ要素Ｌｎの物体側のレンズ面までの光軸上の長さをＬｓｎとするとき、
−４．００＜Ｌｎｒ１／Ｌｓｎ＜−０．５０
なる条件式を満足することを特徴とする請求項１乃至６のいずれか１項に記載のズームレンズ。
【請求項８】
前記第２レンズ群の物体側又は像側に開口絞りを有し、広角端における前記開口絞りから像面までの光軸上の長さをＬｓＩＰ、広角端における前記開口絞りから負レンズ要素Ｌｎの物体側のレンズ面までの光軸上の長さをＬｓｎとするとき、
０．２０＜Ｌｓｎ／ＬｓＩＰ＜０．７０
なる条件式を満足することを特徴とする請求項１乃至７のいずれか１項に記載のズームレンズ。
【請求項９】
広角端における前記負レンズ要素Ｌｎの最も物体側のレンズ面から像面までの光軸上の長さをＬｎＩＰとするとき、
−４．５０＜ｆｎ／ＬｎＩＰ＜−１．００
なる条件式を満足することを特徴とする請求項１乃至８のいずれか１項に記載のズームレンズ。
【請求項１０】
前記正レンズＬｐの物体側のレンズ面の曲率半径をＬｐｒ１、像側のレンズ面の曲率半径をＬｐｒ２とするとき、
−２．０＜（Ｌｐｒ２＋Ｌｐｒ１）／（Ｌｐｒ２−Ｌｐｒ１）＜０．０
なる条件式を満足することを特徴とする請求項１乃至９のいずれか１項に記載のズームレンズ。
【請求項１１】
広角端から望遠端へのズーミングにおける前記第１レンズ群の移動量をＭ１とするとき、
−２．０＜Ｍ１／ｆＷ＜−０．２
なる条件式を満足することを特徴とする請求項１乃至１０のいずれか１項に記載のズームレンズ。
【請求項１２】
広角端から望遠端へのズーミングに際して、前記第１レンズ群は像側へ移動した後に物体側へ移動することを特徴とする請求項１乃至１１のいずれか１項に記載のズームレンズ。
【請求項１３】
広角端から望遠端へのズーミングに際して、前記第１レンズ群は像側へ移動した後に物体側へ移動し、広角端を基準にし、前記第１レンズ群の最も像側の位置までの移動量をＭ１ａ、最も像側の位置から最も物体側までの移動量をＭ１ｂとするとき、
−１５００．０＜Ｍ１ｂ／Ｍ１ａ＜−２．０
なる条件式を満足することを特徴とする請求項１乃至１２のいずれか１項に記載のズームレンズ。
【請求項１４】
前記第１レンズ群は３枚のレンズから構成されること特徴とする請求項１乃至１３のいずれか１項に記載のズームレンズ。
【請求項１５】
第１レンズ群の最も物体側のレンズの材料の屈折率をＧ１Ｎｄとするとき、
１．９２０＜Ｇ１Ｎｄ＜２．０６０
なる条件式を満足することを特徴とする請求項１乃至１４のいずれか１項に記載のズームレンズ。
【請求項１６】
前記第１レンズ群は物体側から像側へ順に配置された、負レンズ、負レンズ、正レンズから構成されること特徴とする請求項１乃至１５のいずれか１項に記載のズームレンズ。
【請求項１７】
前記中間群は正の屈折力の第３レンズ群より構成されることを特徴とする請求項１乃至１６のいずれか１項に記載のズームレンズ。
【請求項１８】
前記中間群は物体側から像側へ順に配置された正の屈折力の第３レンズ群、負の屈折力の第４レンズ群より構成されることを特徴とする請求項１乃至１６のいずれか１項に記載のズームレンズ。
【請求項１９】
前記第３レンズ群の焦点距離をｆ３とするとき、
０．５＜ｆ３／ｆ２＜１０．０
なる条件式を満足することを特徴とする請求項１７又は１８に記載のズームレンズ。
【請求項２０】
広角端から望遠端へのズーミングにおける前記第２レンズ群の移動量をＭ２、前記第３レンズ群の移動量をＭ３とするとき、
１．００＜Ｍ２／Ｍ３＜１．３０
なる条件式を満足することを特徴とする請求項１７乃至１９のいずれか１項に記載のズームレンズ。
【請求項２１】
請求項１乃至２０のいずれか１項に記載のズームレンズと、該ズームレンズによって形成される像を受光する光電変換素子を有していることを特徴とする撮像装置。
【発明の詳細な説明】
【技術分野】
【０００１】
本発明は、ズームレンズ及びそれを有する撮像装置に関するものであり、例えば一眼レフカメラ・デジタルスチルカメラ・デジタルビデオカメラ、監視カメラ等に用いられる撮像光学系として好適なものである。
【背景技術】
【０００２】
近年、撮像装置に用いられる撮像光学系には、より広範囲な撮影条件に対応するために、広画角で、全ズーム範囲にわたり高い光学性能を有した小型のズームレンズであることが望まれている。また高画質化の要望より大型の撮像素子を用い、そのときに画面全体にわたり高い光学性能を有すること等が望まれている。全体が小型で広画角のズームレンズとして最も物体側に負の屈折力のレンズ群が配置されたネガティブリード型のズームレンズが知られている（特許文献１乃至３）。
【０００３】
特許文献１では、物体側から像側へ順に、負、正、負、正の屈折力のレンズ群からなり、隣り合うレンズ群の間隔を変化させてズーミングを行う４群ズームレンズを開示している。特許文献２では物体側から像側へ順に、負、正、正、負、正の屈折力の第１レンズ群乃至第５レンズ群よりなり、各レンズ群を移動させてズーミングを行う５群ズームレンズを開示している。特許文献３は物体側から像側へ順に、負、正、正、正の屈折力のレンズ群からなり、隣り合うレンズ群の間隔を変化させてズーミングを行う４群ズームレンズを開示している。
【先行技術文献】
【特許文献】
【０００４】
【特許文献１】特開２００４−１１７８２８号公報
【特許文献２】特開２０１５−２０６９７６号公報
【特許文献３】特開２０１５−１２５３８３号公報
【発明の概要】
【発明が解決しようとする課題】
【０００５】
負の屈折力のレンズ群が先行するネガティブリード型のズームレンズにおいて、全系の小型化を図りつつ、広画角化すると諸収差が多く発生してきて光学性能が低下してくる。また大型の撮像素子を用いて画質を高めようとすると、軸外収差の撮像素子への入射角度が増大し（大きくなり）画面周辺の光学性能が低下してくる。ネガティブリード型のズームレンズにおいて、全系の小型化を図りつつ広画角でしかも有効面積の大きい撮像素子を用いて画面全体にわたり高い光学性能を得るには、レンズ群の数、各レンズ群の屈折力やレンズ構成等を適切に設定することが重要になってくる。
【０００６】
特に最も像側に配置されるレンズ群の屈折力や、レンズ構成そして最も像側に配置されるレンズ群より物体側に配置されるレンズ要素等を適切に設定することが重要になってくる。これらの設定が適切でないと全系が小型で広画角で全ズーム範囲にわたり高い光学性能を有するズームレンズを得るのが困難になってくる。
【０００７】
本発明は、全体が小型でかつ広画角でありながら、全ズーム範囲及び全面全体にわたり高い光学性能が容易に得られるズームレンズの提供を目的とする。
【課題を解決するための手段】
【０００８】
本発明のズームレンズは、物体側より像側へ順に配置された、負の屈折力の第１レンズ群、正の屈折力の第２レンズ群、１つ以上のレンズ群を含む中間群、正の屈折力の最終レンズ群より構成され、ズーミングに際して隣り合うレンズ群の間隔が変化するズームレンズであって、
前記最終レンズ群は１枚の正レンズＬｐからなり、前記最終レンズ群の物体側には負レンズ要素Ｌｎが配置されており、広角端に比べて望遠端のズーム位置では前記第１レンズ群は物体側に位置し、
広角端における全系の焦点距離をｆＷ、前記正レンズＬｐの焦点距離をｆｐ、前記負レンズ要素Ｌｎの焦点距離をｆｎ、前記第１レンズ群の焦点距離をｆ１、前記第２レンズ群の焦点距離をｆ２、前記負レンズ要素Ｌｎの最も物体側のレンズ面の曲率半径をＬｎｒ１、前記負レンズ要素Ｌｎの最も像側のレンズ面の曲率半径をＬｎｒ２とするとき、
２．０＜ｆｐ／ｆＷ＜４．０
１．０＜（Ｌｎｒ２＋Ｌｎｒ１）／（Ｌｎｒ２−Ｌｎｒ１）＜１０．０
−６．５＜ｆｎ／ｆＷ＜−１．０
−１．３５＜ｆ１／ｆ２＜−０．５０
なる条件式を満足することを特徴としている。
【発明の効果】
【０００９】
本発明によれば、全体が小型でかつ広画角でありながら、全ズーム範囲及び全面全体にわたり高い光学性能が容易に得られるズームレンズが得られる。
【図面の簡単な説明】
【００１０】
【図１】実施例１のズームレンズの広角端におけるレンズ断面図
【図２Ａ】（ａ）、（ｂ）  実施例１の広角端、中間１のズーム位置における収差図
【図２Ｂ】（ａ）、（ｂ）  実施例１の中間２のズーム位置、望遠端における収差図
【図３】実施例２のズームレンズの広角端におけるレンズ断面図
【図４Ａ】（ａ）、（ｂ）  実施例２の広角端、中間１のズーム位置における収差図
【図４Ｂ】（ａ）、（ｂ）  実施例２の中間２のズーム位置、望遠端における収差図
【図５】実施例３のズームレンズの広角端におけるレンズ断面図
【図６Ａ】（ａ）、（ｂ）  実施例３の広角端、中間１のズーム位置における収差図
【図６Ｂ】（ａ）、（ｂ）  実施例３の中間２のズーム位置、望遠端における収差図
【図７】実施例４のズームレンズの広角端におけるレンズ断面図
【図８Ａ】（ａ）、（ｂ）  実施例４の広角端、中間１のズーム位置における収差図
【図８Ｂ】（ａ）、（ｂ）  実施例４の中間２のズーム位置、望遠端における収差図
【図９】実施例５のズームレンズの広角端におけるレンズ断面図
【図１０Ａ】（ａ）、（ｂ）  実施例５の広角端、中間１のズーム位置における収差図
【図１０Ｂ】（ａ）、（ｂ）  実施例５の中間２のズーム位置、望遠端における収差図
【図１１】実施例６のズームレンズの広角端におけるレンズ断面図
【図１２Ａ】（ａ）、（ｂ）  実施例６の広角端、中間１のズーム位置における収差図
【図１２Ｂ】（ａ）、（ｂ）  実施例６の中間２のズーム位置、望遠端における収差図
【図１３】実施例７のズームレンズの広角端におけるレンズ断面図
【図１４Ａ】（ａ）、（ｂ）  実施例７の広角端、中間１のズーム位置における収差図
【図１４Ｂ】（ａ）、（ｂ）  実施例７の中間２のズーム位置、望遠端における収差図
【図１５】実施例８のズームレンズの広角端におけるレンズ断面図
【図１６Ａ】（ａ）、（ｂ）  実施例８の広角端、中間１のズーム位置における収差図
【図１６Ｂ】（ａ）、（ｂ）  実施例８の中間２のズーム位置、望遠端における収差図
【図１７】本発明の撮像装置の要部概略図
【発明を実施するための形態】
【００１１】
以下に、本発明の好ましい実施の形態を、添付の図面に基づいて詳細に説明する。本発明のズームレンズは、物体側から像側へ順に配置された、負の屈折力の第１レンズ群、正の屈折力の第２レンズ群、１つ以上のレンズ群を有する中間群、正の屈折力の最終レンズ群より構成されている。ズーミングに際して隣り合うレンズ群の間隔が変化する。
【００１２】
図１は実施例１の広角端におけるレンズ断面図である。図２Ａの（ａ）、（ｂ）実施例１の広角端、中間１のズーム位置の収差図である。図２Ｂの（ａ）、（ｂ）は実施例１の中間２のズーム位置、望遠端の収差図である。実施例１はズーム比２．８３、開口比（Ｆナンバー）２．８８〜５．７７程度のズームレンズである。
【００１３】
図３は実施例２の広角端におけるレンズ断面図である。図４Ａの（ａ）、（ｂ）実施例２の広角端、中間１のズーム位置の収差図である。図４Ｂの（ａ）、（ｂ）は実施例２の中間２のズーム位置、望遠端の収差図である。実施例２はズーム比２．８３、開口比（Ｆナンバー）２．８８〜５．７７程度のズームレンズである。
【００１４】
図５は実施例３の広角端におけるレンズ断面図である。図６Ａの（ａ）、（ｂ）実施例３の広角端、中間１のズーム位置の収差図である。図６Ｂの（ａ）、（ｂ）は実施例３の中間２のズーム位置、望遠端の収差図である。実施例３はズーム比２．８３、開口比（Ｆナンバー）２．８８〜５．７７程度のズームレンズである。
【００１５】
図７は実施例４の広角端におけるレンズ断面図である。図８Ａの（ａ）、（ｂ）実施例４の広角端、中間１のズーム位置の収差図である。図８Ｂの（ａ）、（ｂ）は実施例４の中間２のズーム位置、望遠端の収差図である。実施例４はズーム比２．８３、開口比（Ｆナンバー）２．８８〜５．７７程度のズームレンズである。
【００１６】
図９は実施例５の広角端におけるレンズ断面図である。図１０Ａの（ａ）、（ｂ）実施例５の広角端、中間１のズーム位置の収差図である。図１０Ｂの（ａ）、（ｂ）は実施例５の中間２のズーム位置、望遠端の収差図である。実施例５はズーム比２．８３、開口比（Ｆナンバー）２．８８〜５．７７程度のズームレンズである。
【００１７】
図１１は実施例６の広角端におけるレンズ断面図である。図１２Ａの（ａ）、（ｂ）実施例６の広角端、中間１のズーム位置の収差図である。図１２Ｂの（ａ）、（ｂ）は実施例６の中間２のズーム位置、望遠端の収差図である。実施例６はズーム比２．８３、開口比（Ｆナンバー）２．０６〜５．０５程度のズームレンズである。
【００１８】
図１３は実施例７の広角端におけるレンズ断面図である。図１４Ａの（ａ）、（ｂ）実施例７の広角端、中間１のズーム位置の収差図である。図１４Ｂの（ａ）、（ｂ）は実施例７の中間２のズーム位置、望遠端の収差図である。実施例７はズーム比２．８５、開口比（Ｆナンバー）２．０６〜５．０５程度のズームレンズである。
【００１９】
図１５は実施例８の広角端におけるレンズ断面図である。図１６Ａの（ａ）、（ｂ）実施例８の広角端、中間１のズーム位置の収差図である。図１６Ｂの（ａ）、（ｂ）は実施例８の中間２のズーム位置、望遠端の収差図である。実施例８はズーム比２．８５、開口比（Ｆナンバー）２．０６〜５．７８程度のズームレンズである。図１７は、本発明のズームレンズを備えるカメラ（撮像装置）の要部概略図である。各実施例のズームレンズはビデオカメラ、デジタルカメラ、監視カメラ、そして銀塩フィルムカメラなどの撮像装置に用いられる撮像光学系である。
【００２０】
レンズ断面図において、左方が物体側（前方）で、右方が像側（後方）である。また、レンズ断面図において、ＬＯはズームレンズである。またｉを物体側からのレンズ群の順番とすると、Ｌｉは第ｉレンズ群を示す。ＬＭは１つ以上のレンズ群を有する中間群である。ＬＲは正の屈折力の最終レンズ群である。Ｌｎは最終レンズ群ＬＲの物体側に位置する負レンズ要素である。
【００２１】
Ｌｐは最終レンズ群ＬＲを構成する１枚の正レンズである。ＳＰ１は開口絞りである。ＳＰ２はフレアーカット絞りである。ＩＰは像面である。像面ＩＰは、デジタルカメラやビデオカメラ、監視カメラの撮影光学系としてズームレンズを使用する際には、ＣＣＤセンサーやＣＭＯＳセンサーなどの撮像素子（光電変換素子）の撮像面に相当する。また、銀塩フィルムカメラの撮影光学系としてズームレンズを使用する際には、フィルム面に相当する。
【００２２】
尚、以下の各実施例において広角端と望遠端は変倍用レンズ群が機構上、光軸上移動可能な範囲の両端に位置したときのズーム位置をいう。レンズ断面図において、矢印は広角端から望遠端へのズーミングに際しての各レンズ群の移動軌跡を示している。
【００２３】
フォーカスに関する矢印は無限遠から近距離へのフォーカシングに際してのレンズ群の移動方向を示す。球面収差図において、実線のｄはｄ線（５８７．６ｎｍ）、破線のｇはｇ線（４３５．８ｎｍ）を表している。また、非点収差を示す図において、実線のＳはｄ線のサジタル方向、破線のＭはｄ線のメリディオナル方向を表している。また、歪曲を示す図は、ｄ線における歪曲を表している。ＦｎｏはＦナンバー、ωは撮影画角の半画角（度）である。
【００２４】
各実施例のズームレンズは、物体側より像側へ順に配置された、負の屈折力の第１レンズ群Ｌ１、正の屈折力の第２レンズ群Ｌ２、１つ以上のレンズ群を含む中間群ＬＭ、正の屈折力の最終レンズ群ＬＲより構成される。ズーミングに際して隣り合うレンズ群の間隔が変化する。最終レンズ群ＬＲは１枚の正レンズＬｐからなる。最終レンズ群ＬＲの物体側には負レンズ要素Ｌｎが配置されている。広角端に比べて望遠端のズーム位置では第１レンズ群Ｌ１は物体側に位置する。
【００２５】
広角端における全系の焦点距離をｆＷ、正レンズＬｐの焦点距離をｆｐ、負レンズ要素Ｌｎの焦点距離をｆｎ、第１レンズ群Ｌ１の焦点距離をｆ１、第２レンズ群Ｌ２の焦点距離をｆ２とする。負レンズ要素Ｌｎの最も物体側のレンズ面の曲率半径をＬｎｒ１、負レンズ要素Ｌｎの最も像側のレンズ面の曲率半径をＬｎｒ２とする。
【００２６】
このとき、
２．０＜ｆｐ／ｆＷ＜４．０                                      ・・・（１）
１．０＜（Ｌｎｒ２＋Ｌｎｒ１）／（Ｌｎｒ２−Ｌｎｒ１）＜１０．０・・・（２）
−６．５＜ｆｎ／ｆＷ＜−１．０                                  ・・・（３）
−１．３５＜ｆ１／ｆ２＜−０．５０                              ・・・（４）
なる条件式を満足する。ここでレンズ要素とは単一レンズ又は複数のレンズを接合した接合レンズを意味する。
【００２７】
次に前述の各条件式の技術的意味について説明する。条件式（１）は最終レンズ群ＬＲを構成する正レンズＬｐの屈折力を規定している。条件式（１）の上限値を超えて正レンズＬｐの屈折力が弱くなりすぎると、センサ（撮像面）への光束の入射角度がきつく（大きく）なる。または入射角度を小さくするためには、レンズ全長を大きくする必要があり好ましくない。
【００２８】
条件式（１）の下限値を超えて正レンズＬｐの屈折力が強くなりすぎると、センサーへの入射角度は小さくなるが、屈折力が強くなりすぎることで、正レンズＬｐの肉厚が増してしまい、正レンズＬｐが大型化するため好ましくない。正レンズＬｐは結像点（像面）に近い位置に配置しているため光線有効径が大きく、レンズ外径が大きくなる。またレンズ面のレンズ曲率がきつくなり、正レンズＬｐのコバ厚を十分確保するためにレンズ肉厚が厚くなりやすいので良くない。
【００２９】
条件式（２）は負レンズ要素Ｌｎのレンズ形状を規定している。条件式（２）は負レンズ要素Ｌｎが像側に凸面を向けたメニスカス形状であること意味している。条件式（２）の上限値を超えてレンズ形状が変化すると、物体側のレンズ面の曲率と像側のレンズ面の曲率の差が少なくなる方向のレンズ形状となり第１レンズ群Ｌ１との形状の対称性が崩れ、コマ収差が増大するため好ましくない。
【００３０】
条件式（２）の下限値を超えてレンズ形状が変化すると、物体側のレンズ面の曲率と像側のレンズ面の曲率の差が大きくなりすぎて、第１レンズ群Ｌ１との形状の対称性は良くなりコマ収差は減少する方向であるが、負レンズ要素Ｌｎの負の屈折力が強くなる。そしてペッツバール和がプラス方向に大きくなり像面湾曲がオーバーとなり好ましくない。
【００３１】
条件式（３）は負レンズ要素Ｌｎの負の屈折力を規定している。条件式（３）の下限値を超えて負レンズ要素Ｌｎの負の屈折力が弱くなると（負の屈折力の絶対値が小さくなると）、軸外光線の負レンズ要素Ｌｎからセンサーへの入射角度が緩くなりレンズ全長が増大するため好ましくない。また、負レンズ要素Ｌｎにてフォーカシングする場合の移動量が大きくなること、負レンズ要素Ｌｎと最終レンズ群を構成する正レンズＬｐ間のフォーカスの際の移動空間をとるための間隔が必要となることで全系が大型化するため好ましくない。
【００３２】
条件式（３）の上限値を超えて負レンズ要素Ｌｎの負の屈折力が強くなると（負の屈折力の絶対値が大きくなると）レンズ全長の短縮化は容易となるが、偏心敏感度が高くなりすぎレンズの組み立てが困難となる。また負レンズ要素Ｌｎにてフォーカシングする場合、球面収差の変動が大きくなるため好ましくない。
【００３３】
条件式（４）は第１レンズ群Ｌ１の屈折力と第２レンズ群Ｌ２の屈折力の比を規定している。条件式（４）の上限値を超えて第２レンズ群Ｌ２の正の屈折力に対する第１レンズ群Ｌ１の負の屈折力が強くなると、ズーミングに際して第２レンズ群Ｌ２の移動量が大きくなり望遠端におけるレンズ全長が増大する。また、ペッツバール和が小さくなり、像面変動がアンダー傾向となるため好ましくない。
【００３４】
条件式（４）の下限値を超えて第２レンズ群Ｌ２の正の屈折力に対する第１レンズ群Ｌ１の負の屈折力が弱くなると、レンズ全長は短くなる方向となるが、第１レンズ群Ｌ１の有効径が拡大し全系が大型化するため好ましくない。また、ペッツバール和が大きくなり、像面湾曲がオーバー傾向となるため好ましくない。
【００３５】
なお、各実施例において、好ましくは、条件式（１）乃至（４）の数値範囲を次の如くするのが良い。
２．００３＜ｆｐ／ｆＷ＜３．９５０                            ・・・（１ａ）
１．００５＜（Ｌｎｒ２＋Ｌｎｒ１）／（Ｌｎｒ２−Ｌｎｒ１）＜８．０００
・・・（２ａ）
−６．４５＜ｆｎ／ｆＷ＜−１．０５                            ・・・（３ａ）
−１．３４＜ｆ１／ｆ２＜−０．６０                            ・・・（４ａ）
【００３６】
また、さらに好ましくは条件式（１ａ）乃至（４ａ）の数値範囲を次の如く設定すると、先に述べた各条件式が意味する効果を最大限に得られる。
２．００５＜ｆｐ／ｆＷ＜３．９３０                                ・・・（１ｂ）
１．０１＜（Ｌｎｒ２＋Ｌｎｒ１）／（Ｌｎｒ２−Ｌｎｒ１）＜７．００・・・（２ｂ）
−６．４３＜ｆｎ／ｆＷ＜−１．１０                                ・・・（３ｂ）
−１．３３＜ｆ１／ｆ２＜−０．７０                                ・・・（４ｂ）
【００３７】
各実施例において、更に好ましくは次の条件式のうち１つ以上を満足するのが良い。広角端における正レンズＬｐの横倍率をβｐＷ、広角端における負レンズ要素Ｌｎの横倍率をβｎＷとする。無限遠に合焦時で広角端から望遠端へのズーミングにおける負レンズ要素Ｌｎの移動量をＭｎ、無限遠に合焦時で広角端から望遠端へのズーミングにおける正レンズＬｐの移動量をＭｐとする。広角端における開口絞りから負レンズ要素Ｌｎの物体側のレンズ面までの光軸上の長さをＬｓｎとする。
【００３８】
第２レンズ群Ｌ２の物体側又は像側に開口絞りＳＰ１を有し、広角端における開口絞りから像面までの光軸上の長さをＬｓＩＰとする。広角端における負レンズ要素Ｌｎの最も物体側のレンズ面から像面までの光軸上の長さをＬｎＩｐとする。正レンズＬｐの物体側のレンズ面の曲率半径をＬｐｒ１、像側のレンズ面の曲率半径をＬｐｒ２とする。広角端から望遠端へのズーミングにおける第１レンズ群Ｌ１の移動量をＭ１とする。
【００３９】
広角端から望遠端へのズーミングに際して、第１レンズ群Ｌ１は像側へ移動した後、物体側へ移動し、広角端を基準にし、第１レンズ群Ｌ１の最も像側の位置までの移動量をＭ１ａ、最も像側の位置から最も物体側までの移動量をＭ１ｂとする。
【００４０】
第１レンズ群Ｌ１の最も物体側のレンズの材料の屈折率をＧ１Ｎｄとする。中間群ＬＭは正の屈折力の第３レンズ群より構成されること、または中間群ＬＭは物体側から像側へ順に配置された正の屈折力の第３レンズ群、負の屈折力の第４レンズ群より構成される。第３レンズ群Ｌ３の焦点距離をｆ３とする。広角端から望遠端へのズーミングにおける第２レンズ群Ｌ２の移動量をＭ２、第３レンズ群Ｌ３の移動量をＭ３とする。
【００４１】
ここでレンズ群の移動量とは広角端におけるレンズ群の光軸上の位置と望遠端におけるレンズ群の光軸上の位置の差をいう。移動量の符号は広角端に比べて望遠端において像側に位置するときを正、物体側に位置するときを負とする。このとき、次の条件式のうち１つ以上を満足するのが良い。
【００４２】
−２．０＜ｆｐ／ｆｎ＜−０．５                                  ・・・（５）
−２．０＜（１−βｎＷ２）×βｐＷ２＜−０．３                  ・・・（６）
０．６＜βｐＷ＜０．９                                          ・・・（７）
−０．４０＜Ｍｐ／Ｍｎ＜−０．０５                              ・・・（８）
−４．００＜Ｌｎｒ１／Ｌｓｎ＜−０．５０                        ・・・（９）
０．２０＜Ｌｓｎ／ＬｓＩＰ＜０．７０                            ・・・（１０）
−４．５０＜ｆｎ／ＬｎＩＰ＜−１．００                          ・・・（１１）
−２．０＜（Ｌｐｒ２＋Ｌｐｒ１）／（Ｌｐｒ２−Ｌｐｒ１）＜０．０・・・（１２）
−２．０＜Ｍ１／ｆＷ＜−０．２                                  ・・・（１３）
−１５００．０＜Ｍ１ｂ／Ｍ１ａ＜−２．０                        ・・・（１４）
１．９２０＜Ｇ１Ｎｄ＜２．０６０                                ・・・（１５）
０．５＜ｆ３／ｆ２＜１０．０                                    ・・・（１６）
１．００＜Ｍ２／Ｍ３＜１．３０                                  ・・・（１７）
【００４３】
次に前述の各条件式の技術的意味について説明する。条件式（５）は正レンズＬｐの屈折力と負レンズ要素Ｌｎの屈折力の比を規定している。具体的にはセンサーへの光束の入射角度と光学系の大きさ、そして光学性能に関する条件を規定している。
【００４４】
条件式（５）の上限値を超えて負レンズ要素Ｌｎに対する正レンズＬｐの正の屈折力が強くなると、広角端での光束のセンサーへの入射角は小さくなるが、正レンズＬｐの正の屈折力が強くなる分、正レンズＬｐのレンズ厚みが増す。そして正レンズＬｐが大型化するため好ましくない。また、ペッツバール和は小さくなるが、第１レンズ群Ｌ１と負レンズ要素Ｌｎの対称性が崩れるため、コマ収差が多く発生し好ましくない。
【００４５】
条件式（５）の下限値を超えて負レンズ要素Ｌｎに対する正レンズＬｐの屈折力が弱くなると、広角端での光束のセンサーへの入射角がきつくなるため好ましくない。また、コマ収差の補正は容易となるが、ペッツバール和が大きくなり、像面湾曲がオーバー傾向になるため好ましくない。
【００４６】
条件式（６）は負レンズ要素Ｌｎの位置敏感度を規定している。条件式（６）の上限値を超えると、フォーカシングにおける負レンズ要素Ｌｎの移動量が大きくなりすぎ、レンズ群間で干渉しないためのレンズ群間隔が予め多く必要となり、全系が大型化するために好ましくない。条件式（６）の下限値を超えると、フォーカシングにおける負レンズ要素Ｌｎの移動量が小さくたるため全系の小型化には有利となるが、負レンズ要素Ｌｎの負の屈折力が大きくなる方向となる。このため、偏心敏感度が大きくなりレンズ群間の精度が厳しくなりすぎるため好ましくない。
【００４７】
条件式（７）は正レンズＬｐの横倍率を規定している。条件式（７）の上限値を超えて正レンズＬｐの横倍率が大きくなると、負レンズ要素Ｌｎの横倍率が小さくなる。そしてフォーカシングにおける負レンズ要素Ｌｎの移動量が大きくなりすぎ、レンズ群間で干渉しないためのレンズ群間隔が予め多く必要となり、全系が大型化するために好ましくない。
【００４８】
条件式（７）の下限値を超えて正レンズＬｐの横倍率が小さくなると、負レンズ要素Ｌｎの横倍率が大きくなり、フォーカシングにおける負レンズ要素Ｌｎの移動量が小さくたるため全系の小型化には有利である。しかしながら、負レンズ要素Ｌｎの負の屈折力が大きくなる方向であるため、偏心敏感度が大きくなりレンズ群間の精度が厳しくなりすぎるため好ましくない。
【００４９】
条件式（８）は無限物点にて合焦している状態でのズーミングに際しての負レンズ要素Ｌｎの移動量と正レンズＬｐの移動量の比を規定している。条件式（８）の上限値を超えて負レンズ要素Ｌｎの移動量が大きくなると、望遠端にてレンズ全長が大きくなるため、好ましくない。
【００５０】
条件式（８）の下限値を超えて正レンズＬｐの移動量が大きくなると、正レンズＬｐにて変倍を分担できるため、正レンズＬｐよりも物体側のレンズ群の移動量を小さくできる。しかしながら、広角端にて正レンズＬｐが物体側に位置するため、負レンズ要素Ｌｎと干渉しやすくなるめ好ましくない。干渉をさけるためには広角端のレンズ全長を長くする必要があり、全系が大型化するため好ましくない。
【００５１】
条件式（９）は負レンズ要素Ｌｎの物体側のレンズ面の曲率半径と広角端における開口絞りＳＰから負レンズ要素Ｌｎの物体側のレンズ面までの長さの比を規定している。具体的には軸外光線と負レンズ要素Ｌｎの物体側のレンズ面とのコンセントリック条件を規定している。
【００５２】
条件式（９）の上限値を超えてレンズ面の曲率半径がきつくなると、負レンズ要素Ｌｎのフォーカシングにおける球面収差の変動が大きくなり好ましくない。条件式（９）の下限値を超えてレンズ面の曲率半径が緩くなると、負レンズ要素Ｌｎのフォーカシングにおける球面収差の変動は小さくなるが、第１レンズ群Ｌｎとの形状の対称性が崩れ、コマ収差が多く発生するため好ましくない。
【００５３】
条件式（１０）は広角端における開口絞りＳＰ１から負レンズ要素Ｌｎの物体側のレンズ面までの長さと広角端における開口絞りＳＰから結像点（像面）までの長さの比を規定している。具体的には開口絞りＳＰ１と結像点の間の負レンズ要素Ｌｎの配置を規定している。
【００５４】
条件式（１０）の上限値を超えて負レンズ要素Ｌｎが結像点に近づくと、フォーカシングにおける移動量の余裕量が少なくなるため好ましくない。また、小型化のためには負レンズ要素Ｌｎの負の屈折力を強める必要があり、その結果センサーへの光束の入射角がきつくなる、あるいは入射角の緩和のために、正レンズＬｐの正の屈折力が強くなり、正レンズＬｐの厚さが厚くなるため好ましくない。
【００５５】
条件式（１０）の下限値を超えて負レンズ要素Ｌｎが開口絞りＳＰ１に近づくと、フォーカシングにおける移動量の余裕は確保できるが、第１レンズ群Ｌ１との開口絞りＳＰ１の対称性が崩れ、コマ収差が多く発生するため好ましくない。
【００５６】
条件式（１１）は負レンズ要素Ｌｎの焦点距離と広角端における負レンズ要素Ｌｎの最も物体側のレンズ面から結像点までの長さの比を規定している。具体的にはセンサーへの光束の入射角度と、光学系の大きさを規定している。条件式（１１）の上限値を超えて負レンズ要素Ｌｎの負の屈折力が強くなると、センサーへの光束の入射角度がきつくなるため好ましくない。入射角度を緩めるためには正レンズＬｐの正の屈折力を強める必要があり、屈折力を強めるためにはレンズの肉厚が増し、沈胴時全系が大型化するため好ましくない。
【００５７】
条件式（１１）の下限値を超えて負レンズ要素Ｌｎの負の屈折力が弱くなると、フォーカシングに際しての移動量が増し、移動量の余裕量を確保するためにレンズ全長が長くなるため好ましくない。
【００５８】
条件式（１２）は正レンズＬｐのレンズ形状を規定している。具体的には像面特性（像面湾曲）に関係する。正レンズＬｐは結像点近くに配置されており、そのレンズ形状は像面特性に影響する。条件式（１２）の上限値を超えて正レンズＬｐの物体側のレンズ面の曲率がきつくなると、望遠端において像面特性は良好となるが、広角端の像面特性が低下するため好ましくない。具体的には広角端において低像高にてメリディオナル像面がアンダー、高像高にてメリディオナル像面がオーバーとなる。
【００５９】
条件式（１２）の下限値を超えて正レンズＬｐの物体側のレンズ面の曲率が物体側に凹面を向けてきつくなると、広角端の像面特性は良くなるが、望遠端にて像面特性がオーバーになり好ましくない。
【００６０】
条件式（１３）はズーミングにおける第１レンズ群Ｌ１の移動量を規定している。具体的には全系の光軸方向の長さを規定する。条件式（１３）の下限値を超えて、第１レンズ群Ｌ１の移動量が大きくなると、望遠端におけるレンズ全長が延び全系が大型化するため、好ましくない。また、望遠端におけるレンズ全長を規定しつつ、下限値を超えると広角端においてレンズ全長が短くなるため前玉有効径は小さくなるが、第１レンズ群Ｌ１の屈折力が強くなるため、像面湾曲がアンダーとなり好ましくない。
【００６１】
条件式（１３）の上限値を越えて、第１レンズ群Ｌ１の移動量が小さくなると、望遠端におけるレンズ全長は短くなるが、広角端におけるレンズ全長が長くなり、第１レンズ群Ｌ１と開口絞りＳＰ１との間隔が長くなるため前玉有効径が大きくなり好ましくない。
【００６２】
条件式（１４）はズーミングにおける第１レンズ群Ｌ１が像側へ凸状に移動するときの凸軌跡の移動量を規定している。具体的には全系の光軸方向の長さと光軸と直交する径方向の大きさを規定している。条件式（１４）の上限値を超えて第１レンズ群Ｌ１の像側への移動量が大きくなると、広角端におけるレンズ全長が長くなり、前玉有効径が大きくなるため好ましくない。条件式（１４）の下限値を超えて第１レンズ群Ｌ１の物体側への移動量が大きくなると、望遠端におけるレンズ全長が長くなるため好ましくない。
【００６３】
条件式（１５）は第１レンズ群Ｌ１の最も物体側のレンズの材料の屈折率を規定している。具体的には全系の光軸と直交する径方向の大きさを規定している。条件式（１５）の上限値を超えて屈折率が大きくなると、現存する硝材料ではアッベ数が小さい硝材となり、色消しをするための第１レンズ群Ｌ１内の正レンズの硝材が少なくなり、色消しが困難となるため好ましくない。条件式（１５）の下限値を超えて屈折率が小さくなると、色消しするための硝材は多く存在するが、屈折率が低くなるため、前玉有効径が増大し、好ましくない。
【００６４】
条件式（１６）は中間群ＬＭが正の屈折力の第３レンズ群Ｌ３よりなること、又は中間群ＬＭが正の屈折力の第３レンズ群Ｌ３と負の屈折力の第４レンズ群Ｌ４よりなるときの第２レンズ群Ｌ２と第３レンズ群Ｌ３の屈折力の比を規定している。具体的には、ズーミングにおける中間の像面特性に関する。
【００６５】
条件式（１６）の上限値を超えて第３レンズ群Ｌ３の正の屈折力が弱くなると、第２レンズ群Ｌ２のズーミングに際しての移動量が小さくなり全系の小型化には有利となる。しかしながら、第２レンズ群Ｌ２の正の屈折力が強くなりすぎ、ズーミングにおける中間の焦点位置のズーム位置での像面変動を抑えることが困難となるため、好ましくない。条件式（１６）の下限値を超えて第３レンズ群Ｌ３の正の屈折力が強くなると、第２レンズ群Ｌ２のズーミングに際しての移動量が大きくなり、全系が大型化するため、好ましくない。
【００６６】
条件式（１７）は中間群ＬＭが正の屈折力の第３レンズ群Ｌ３よりなること、又は中間群ＬＭが正の屈折力の第３レンズ群Ｌ３と負の屈折力の第４レンズ群Ｌ４よりなるときのズーミングに際しての第２レンズ群Ｌ２と第３レンズ群Ｌ３の移動量を規定している。具体的には全系の光軸方向の長さに関係する。
【００６７】
条件式（１７）の上限値を超えて第２レンズ群Ｌ２の移動量が大きくなると、望遠端におけるレンズ全長が長くなるため、好ましくない。条件式（１７）の下限値を超えて第２レンズ群Ｌ２の移動量が小さくなると、全系の小型化には有利となるが、第２レンズ群Ｌ２と第３レンズ群Ｌ３が望遠端にて機構的に干渉する傾向となるため好ましくない。なお、各実施例において、好ましくは、条件式（５）乃至（１７）の数値範囲を次の如くするのが良い。
【００６８】
−１．９０＜ｆｐ／ｆｎ＜−０．５５                        ・・・（５ａ）
−１．８０＜（１−βｎＷ２）・βｐＷ２＜−０．３５          ・・・（６ａ）
０．６５＜βｐＷ＜０．８８                                ・・・（７ａ）
−０．３８＜Ｍｐ／Ｍｎ＜−０．０８                        ・・・（８ａ）
−３．８０＜Ｌｎｒ１／Ｌｓｎ＜−０．６０                  ・・・（９ａ）
０．２５＜Ｌｓｎ／ＬｓＩＰ＜０．６５                      ・・・（１０ａ）
−４．４０＜ｆｎ／ＬｎＩＰ＜−１．０５                    ・・・（１１ａ）
−１．８０＜（Ｌｐｒ２＋Ｌｐｒ１）／（Ｌｐｒ２−Ｌｐｒ１）＜−０．１
・・・（１２ａ）
−１．５０＜Ｍ１／ｆＷ＜−０．３０                        ・・・（１３ａ）
−１３００．０＜Ｍ１ｂ／Ｍ１ａ＜−２．５                  ・・・（１４ａ）
１．９３０＜Ｇ１ｎｄ＜２．０３０                          ・・・（１５ａ）
０．８０＜ｆ３／ｆ２＜９．０                              ・・・（１６ａ）
１．０３＜Ｍ２／Ｍ３＜１．２９                            ・・・（１７ａ）
【００６９】
また、さらに好ましくは条件式（５ａ）乃至（１７ａ）の数値範囲を次の如く設定すると、先に述べた各条件式が意味する効果を最大限に得られる。
【００７０】
−１．８５＜ｆｐ／ｆｎ＜−０．６０                        ・・・（５ｂ）
−１．６０＜（１−βｎＷ２）・βｐＷ２＜−０．４０          ・・・（６ｂ）
０．７１＜βｐＷ＜０．８７                                ・・・（７ｂ）
−０．３５＜Ｍｐ／Ｍｎ＜−０．１０                          ・・・（８ｂ）
−３．６０＜Ｌｎｒ１／Ｌｓｎ＜−０．６５                    ・・・（９ｂ）
０．２９＜Ｌｓｎ／ＬｓＩＰ＜０．６０                        ・・・（１０ｂ）
−４．３０＜ｆｎ／ＬｎＩＰ＜−１．０８                      ・・・（１１ｂ）
−１．７０＜（Ｌｐｒ２＋Ｌｐｒ１）／（Ｌｐｒ２−Ｌｐｒ１）＜−０．１３
・・・（１２ｂ）
−１．３０＜Ｍ１／ｆＷ＜−０．３３                          ・・・（１３ｂ）
−１１００．０＜Ｍ１ｂ／Ｍ１ａ＜−３．０                    ・・・（１４ｂ）
１．９５０＜Ｇ１ｎｄ＜２．０１０                            ・・・（１５ｂ）
０．９０＜ｆ３／ｆ２＜８．０                                ・・・（１６ｂ）
１．０５＜Ｍ２／Ｍ３＜１．２８                              ・・・（１７ｂ）
【００７１】
各実施例では以上のように各要素を構成することにより、全系が小型で高性能であるズームレンズを得ることができる。ネガティブリードのズームレンズにおいてレンズ径の小型化を図る場合、負の屈折力の第１レンズ群Ｌ１の負の屈折力は強くなるため、３枚のレンズ構成とするのが良い。
【００７２】
小型化のためにはレンズ枚数を少なくして負レンズ、正レンズの２枚のレンズよりなる構成が考えられる。しかし、小型化のために第１レンズ群Ｌ１の負の屈折力が強く、負レンズのレンズ面の曲率がきつくなることや、球面収差、像面特性等を良好に補正するために２枚のレンズ間の間隔も必要となることから、結局厚みが増す。
【００７３】
そのため、第１レンズ群Ｌ１内の負レンズの屈折力を分割することで光学性能を良好に維持しつつ径方向の大きさを小さくすることが容易となる。第１レンズ群Ｌ１は物体側より像側へ順に、負レンズ１１、負レンズ１２、正レンズ１３から構成することが好ましい。また、最も物体側の負レンズ１１は高屈折率材料を採用し、負レンズ１１よりもレンズ径の小さくなる負レンズ１２のレンズ面を非球面化することで、非球面の加工難度も易くなり、全系の小型を図りつつ高い光学性能化が得られる。
【００７４】
第２レンズ群Ｌ２は正の屈折力を有することが望ましい。広角端において、軸上光束は負の屈折力の第１レンズ群Ｌ１を通過すると発散光束となる。しかしながら、第１レンズ群Ｌ１に続く後群の最も物体側に位置する第２レンズ群Ｌ２を正の屈折力とすることで、光束に対して収斂作用を持たせ、後群のレンズ有効径を小さくすることが容易となる。また、第２レンズ群Ｌ１は物体側より像側へ順に、正レンズ２１、正レンズ２２、負レンズ２３を有する構成とし、正レンズ２１を非球面レンズとすることが望ましい。
【００７５】
有効径の大きくなる最も物体側の正レンズ２１を非球面化することにより、球面収差やコマ収差を全ズーム領域にて良好に補正することが容易となる。
【００７６】
次に各実施例のズームレンズのレンズ構成について説明する。実施例１、３、４、５のズームレンズは以下の構成よりなる。物体側より像側へ順に配置された、負の屈折力の第１レンズ群Ｌ１、開口絞りＳＰ１、正の屈折力の第２レンズ群Ｌ２、フレアーカット絞りＳＰ２、正の屈折力の第３レンズ群Ｌ３、正の屈折力の第４レンズ群Ｌ４から構成されている。第３レンズ群Ｌ３は中間群ＬＭ、第４レンズ群Ｌ４は最終レンズ群ＬＲに相当している。
【００７７】
実施例１、３、４、５はズーム倍率（ズーム比）３倍程度にて全系の小型化を図るため、ズーム構成は物体側より像側へ順に、負の屈折力の第１レンズ群、正の屈折力の第２レンズ群を配置したネガティブリード型のレンズ構成としている。正の屈折力のレンズ群が先行するポジティブリード型のレンズ構成は、高倍率化（高ズーム比化）には有利となる。しかしながら、前玉有効径が大きくなるため、３倍程度のズーム倍率では、負の屈折力のレンズ群が先行するネガティブリード型のレンズ構成のほうが有利である。
【００７８】
広角端から望遠端へのズーミングに際して、第１レンズ群Ｌ１は像側に凸状の軌跡で移動し、開口絞りＳＰ１は物体側に移動し、第２レンズ群Ｌ２は物体に移動し、第３レンズ群Ｌ３は物体側に移動し、第４レンズ群Ｌ４は像側に移動している。第１レンズ群Ｌ１は広角端に比べて望遠端において、物体側に位置するように移動させることで、広角端におけるレンズ全長を短縮し、開口絞りＳＰ１と第１レンズ群Ｌ１を近づけることにより、前玉有効径の小型化を図っている。
【００７９】
また、ズーミングにおいて開口絞りＳＰ１を各レンズ群とは別軌跡に移動し、中間の焦点距離のズーム位置において第２レンズ群Ｌ２から物体側に離れ、第２レンズ群Ｌ２に対して物体側に凸状になる軌跡で移動する。これによって中間の焦点距離のズーム位置における軸外光線の下線フレアをカットし、中間の焦点距離のズーム位置における光学性能を良好にしている。フレアーカット絞りＳＰ２はズーミングに際して第２レンズ群Ｌ２と同じ軌跡（一体的）で移動している。
【００８０】
また、ズーミングに際して正の屈折力の第２レンズ群Ｌ２、正の屈折力の第３レンズ群Ｌ３を別の軌跡で移動することにより、ズーミングにおける中間の焦点距離のズーム位置において像面特性を良好に補正している。また、広角端から望遠端へのズーミングに際して正の屈折力の第４レンズ群Ｌ４を像側に移動させ、変倍効果を持たせることにより、ズーミングにおける第２レンズ群Ｌ２、第３レンズ群Ｌ３の移動量を少なくし、望遠端におけるレンズ全長を短縮している。
【００８１】
また、第４レンズ群Ｌ４を１枚の正レンズＬｐより構成している。第４レンズ群Ｌ４を正の屈折力することにより、広角端における射出瞳を物体側に遠ざけ、テレセントリック性を良好にしている。第４レンズ群Ｌ４は結像点（像面）に近い配置となり、レンズ有効径が大きくなるため、第４レンズ群Ｌ４を複数枚のレンズで構成するとレンズの厚みが増し全系が大型化するため１枚のレンズより構成している。
【００８２】
また、正の屈折力の第３レンズ群Ｌ３は最像側には負レンズ要素Ｌｎを有している。負レンズ要素Ｌｎは１枚のレンズ又は複数のレンズを接合した接合レンズでも良い。第４レンズ群Ｌ４を正の屈折力とすることで、像側から光束を逆トレースしたとき、光束は第４レンズ群Ｌ４の像側では収斂されるので、第４レンズ群Ｌ４の物体側に配置している負レンズ要素Ｌｎのレンズ径を小さくすることができる。また、負レンズ要素Ｌｎが負の屈折力であることにより、レンズ全長の短縮が容易となり全系の小型化に有利となる。
【００８３】
また、第１レンズ群Ｌ１は負の屈折力の第１レンズ１１、負の屈折力の第２レンズ１２、正の屈折力の第３レンズ１３の３枚のレンズにて構成しており、第１レンズ１１の像側のレンズ面を凹面としたメニスカス形状としている。負レンズ要素Ｌｎを像側に凸面を向けたメニスカス形状とすることにより、負の屈折力の第１レンズ１１とは開口絞りに対して略対称形状となり、コマ収差の補正を容易にしている。また、小型、軽量な負レンズ要素Ｌｎをフォーカシングレンズとすることにより、迅速なフォーカシングを容易にしている。
【００８４】
負レンズ要素Ｌｎは無限物体から至近物体へのフォーカシングに際し、像側へ移動する。負レンズ要素Ｌｎを像側に凸面を向けたメニスカス形状とすることにより、軸外光線とコンセントリックな配置としている。これにより、無限物体から至近物体へのフォーカシングに際し、像側へ移動後も軸外光線とのコンセントリックが変わらないようにして、フォーカシングによる軸外収差、例えば像面変動を良好に補正している。
【００８５】
負レンズ要素Ｌｎに関する実線の曲線Ｌｎａと点線の曲線Ｌｎｂは、各々無限遠物体と近距離物体にフォーカスしているときの変倍に伴う像面変動を補正するための移動軌跡である。また望遠端において、無限遠物体から近距離物体へフォーカスを行う場合には、矢印Ｌｎｃに示す如く負レンズ要素Ｌｎを像側に繰り込むことで行っている。
【００８６】
また、第３レンズ群Ｌ３に負の屈折力のレンズ要素Ｌｎとの像側に、正の屈折力の第４レンズ群Ｌ４の異符号の焦点距離持つレンズ群を配置している。これにより、負レンズ要素Ｌｎにある程度強い負の屈折力を持たせることができるため、位置敏感度が高くなり、負レンズ要素Ｌｎのフォーカシングによる移動量を少なくして、全系の小型化を容易にしている。
【００８７】
実施例２のズームレンズは物体側より像側へ順に配置された以下の構成よりなる。負の屈折力の第１レンズ群Ｌ１、開口絞りＳＰ１、正の屈折力の第２レンズ群Ｌ２、フレアーカット絞りＳＰ２、正の屈折力の第３レンズ群Ｌ３、負の屈折力の第４レンズ群Ｌ４、正の屈折力の第５レンズ群Ｌ５から構成されている。第３レンズ群Ｌ３と第４レンズ群Ｌ４は中間群ＬＭ、第５レンズ群Ｌ５は最終レンズ群ＬＲに相当している。
【００８８】
実施例２はズーム倍率（ズーム比）３倍程度にて全系の小型化を図るため、ズーム構成は物体側より像側へ順に、負の屈折力の第１レンズ群、正の屈折力の第２レンズ群を配置したネガティブリード型のレンズ構成としている。正の屈折力のレンズ群が先行するポジティブリード型のレンズ構成は、高倍率化（高ズーム比化）には有利となる。しかしながら、前玉有効径が大きくなるため、３倍程度のズーム倍率では、負の屈折力のレンズ群が先行するネガティブリード型のレンズ構成のほうが有利である。
【００８９】
広角端から望遠端へのズーミングに際して、第１レンズ群Ｌ１は像側に凸状の軌跡で移動し、開口絞りＳＰ１は物体側に移動し、第２レンズ群Ｌ２は物体側に移動し、第３レンズ群Ｌ３は物体側に移動し、第４レンズ群Ｌ４は物体側に移動している。第５レンズ群Ｌ５は像側に移動している。
【００９０】
第１レンズ群Ｌ１は広角端に比べて望遠端において、物体側に位置するように移動させることで、広角端におけるレンズ全長を短縮し、開口絞りＳＰ１と第１レンズ群Ｌ１を近づけることにより、前玉有効径の小型化を図っている。また、ズーミングにおいて開口絞りＳＰ１を各レンズ群とは別軌跡に移動し、中間の焦点距離のズーム位置において第２レンズ群Ｌ２から物体側に離れ、第２レンズ群Ｌ２に対して物体側に凸状になる軌跡で物体側へ移動する。これによって中間の焦点距離のズーム位置における軸外光線の下線フレアをカットし、中間の焦点距離のズーム位置における光学性能を良好にしている。
【００９１】
フレアーカット絞りＳＰ２はズーミングに際して第２レンズ群Ｌ２と同じ軌跡で移動している。また、ズーミングに際して正の屈折力の第２レンズ群Ｌ２、正の屈折力の第３レンズ群Ｌ３、負の屈折力の第４レンズ群Ｌ４を別の軌跡で移動することにより、ズーミングにおける中間の焦点距離のズーム位置において像面特性を良好に補正している。
【００９２】
また、広角端から望遠端へのズーミングに際して正の屈折力の第５レンズ群Ｌ５を像側に移動させ、変倍効果を持たせることにより、ズーミングにおける第２レンズ群Ｌ２、第３レンズ群Ｌ３、第４レンズ群Ｌ４の移動量を少なくする。そして、望遠端におけるレンズ全長を短縮している。また、第５レンズ群Ｌ５を１枚の正レンズＬｐより構成している。
【００９３】
第５レンズ群Ｌ５を正の屈折力することにより、広角端における射出瞳を物体側に遠ざけ、テレセントリック性を良好にしている。第５レンズ群Ｌ５は結像点（像面）に近い配置となるため、レンズ径が大きくなるため、第５レンズ群Ｌ５を複数枚のレンズで構成するとレンズの厚みが増し全系が大型化するため１枚のレンズより構成している。また、負の屈折力の第４レンズ群Ｌ４は負レンズ要素Ｌｎより構成している。負レンズ要素Ｌｎは１枚のレンズ又は複数のレンズを接合した接合レンズでも良い。
【００９４】
第５レンズ群Ｌ５を正の屈折力とすることで、像側から光束を逆トレースしたとき光束は第５レンズ群Ｌ５の物体側では収斂されるので第５レンズ群Ｌ５の物体側に配置している負レンズ要素Ｌｎのレンズ径を小さくすることができる。また、負レンズ要素Ｌｎが負の屈折力であることにより、レンズ全長の短縮が容易となり全系の小型化に有利となる。また、第１レンズ群Ｌ１は負の屈折力の第１レンズ１１、負の屈折力の第２レンズ１２、正の屈折力の第３レンズ１３の３枚のレンズにて構成しており、第１レンズ１１の像側のレンズ面は凹面としたメニスカス形状としている。
【００９５】
負レンズ要素Ｌｎを像側に凸面を向けたメニスカス形状とすることにより、負の屈折力の第１レンズ１１とは開口絞りに対して略対称形状となり、コマ収差の補正を容易にしている。また、小型、軽量な負レンズ要素Ｌｎをフォーカシングレンズとすることにより、迅速なフォーカシングを容易にしている。負レンズ要素Ｌｎは無限物体から至近物体へのフォーカシングに際し、像側へ移動する。
【００９６】
負レンズ要素Ｌｎを像側に凸面を向けたメニスカス形状とすることにより、軸外光線とコンセントリックな配置している。これにより、無限物体から至近物体へのフォーカシングに際し像側へ移動後も軸外光線とのコンセントリック性が変わらないようにして、フォーカシングによる軸外収差、例えば像面変動を良好に補正している。
【００９７】
負レンズ要素Ｌｎに関する実線の曲線Ｌｎａと点線の曲線Ｌｎｂは、各々無限遠物体と近距離物体にフォーカスしているときの変倍に伴う像面変動を補正するための移動軌跡である。また望遠端において、無限遠物体から近距離物体へフォーカスを行う場合には、矢印Ｌｎｃに示す如く負レンズ要素Ｌｎを像側に繰り込むことで行っている。また、第４レンズ群Ｌ４を負の屈折力のレンズ要素Ｌｎより構成し、その像側に正の屈折力の第５レンズ群Ｌ５の異符号の焦点距離持つレンズ群を配置している。
【００９８】
これにより、負レンズ要素Ｌｎにある程度強い負の屈折力を持たせることができるため、位置敏感度が高くなり、負レンズ要素Ｌｎのフォーカシングによる移動量を少なくして、全系の小型化を容易にしている。
【００９９】
実施例６、７、８のズームレンズは、物体側より像側へ順に配置された以下の構成よりなる。負の屈折力の第１レンズ群Ｌ１、フレアーカット絞りＳＰ２、正の屈折力の第２レンズ群Ｌ２、開口絞りＳＰ１、正の屈折力の第３レンズ群Ｌ３、負の屈折力の第４レンズ群Ｌ４、正の屈折力の第５レンズ群Ｌ５から構成されている。第３レンズ群Ｌ３と第４レンズ群Ｌ４は中間群ＬＭ、第５レンズ群Ｌ５は最終レンズ群ＬＲに相当している。
【０１００】
実施例６、７、８はズーム倍率（ズーム比）３倍程度にて全系の小型化を図るため、ズーム構成は物体側より像側へ順に、負の屈折力の第１レンズ群、正の屈折力の第２レンズ群を配置したネガティブリード型のレンズ構成としている。正の屈折力のレンズ群が先行するポジティブリード型のレンズ構成は、高倍率化（高ズーム比化）には有利となる。しかしながら、前玉有効径が大きくなるため、３倍程度のズーム倍率では、負の屈折力のレンズ群が先行するネガティブリード型のレンズ構成のほうが有利である。
【０１０１】
広角端から望遠端へのズーミングに際して、第１レンズ群Ｌ１は像側に凸状の軌跡で移動し、フレアーカット絞りＳＰ２は物体側に移動し、第２レンズ群Ｌ２は物体側に移動し、第３レンズ群Ｌ３は物体側に移動し、第４レンズ群Ｌ４は物体側に移動している。第５レンズ群Ｌ５は像側に移動している。第１レンズ群Ｌ１は広角端に比べて望遠端において、物体側に位置するように移動させることで、広角端におけるレンズ全長を短縮し、開口絞りＳＰ１と第１レンズ群Ｌ１を近づけることにより、前玉有効径の小型化を図っている。
【０１０２】
また、ズーミングにおいてフレアーカット絞りＳＰ２を各レンズ群とは別軌跡に移動し、中間の焦点距離のズーム位置において第２レンズ群Ｌ２から物体側に離れ、第２レンズ群Ｌ２に対して物体側に凸状になる軌跡で物体側へ移動する。これによって中間の焦点距離のズーム位置における軸外光線の下線フレアをカットし、中間の焦点距離のズーム位置における光学性能を良好にしている。開口絞りＳＰ１はズーミングに際して第２レンズ群Ｌ２と同じ軌跡で移動している。
【０１０３】
また、ズーミングに際して正の屈折力の第２レンズ群Ｌ２、正の屈折力の第３レンズ群Ｌ３、負の屈折力の第４レンズ群Ｌ４を別の軌跡で移動することにより、ズーミングにおける中間の焦点距離のズーム位置において像面特性を良好に補正している。また、広角端から望遠端へのズーミングに際して正の屈折力の第５レンズ群Ｌ５を像側に移動させ、変倍効果を持たせることにより、ズーミングにおける第２レンズ群Ｌ２、第３レンズ群Ｌ３、第４レンズ群Ｌ４の移動量を少なくする。そして望遠端におけるレンズ全長を短縮している。また、第５レンズ群Ｌ５を１枚の正レンズＬｐより構成している。
【０１０４】
第５レンズ群Ｌ５を正の屈折力することにより、広角端における射出瞳を物体側に遠ざけ、テレセントリック性を良好にしている。第５レンズ群Ｌ５は結像点（像面）に近い配置となるため、レンズ径が大きくなるため、第５レンズ群Ｌ５を複数枚のレンズで構成するとレンズの厚みが増し全系が大型化するため１枚のレンズより構成している。また、負の屈折力の第４レンズ群Ｌ４は負レンズ要素Ｌｎより構成している。負レンズ要素Ｌｎは１枚のレンズ又は複数のレンズを接合した接合レンズでも良い。
【０１０５】
第５レンズ群Ｌ５を正の屈折力とすることで、像側から光束を逆トレースしたとき光束は第５レンズ群Ｌ５の物体側では収斂されるので第５レンズ群Ｌ５の物体側に配置している負レンズ要素Ｌｎのレンズ径を小さくすることができる。また、負レンズ要素Ｌｎが負の屈折力であることにより、レンズ全長の短縮が容易となり全系の小型化に有利となる。また、第１レンズ群Ｌ１は負の屈折力の第１レンズ１１、負の屈折力の第２レンズ１２、正の屈折力の第３レンズ１３の３枚のレンズにて構成しており、第１レンズ１１の像側のレンズ面は凹面としたメニスカス形状としている。
【０１０６】
負レンズ要素Ｌｎを像側に凸面を向けたメニスカス形状とすることにより、負の屈折力の第１レンズ１１とは開口絞りに対して略対称形状となり、コマ収差の補正を容易にしている。また、小型、軽量な負レンズ要素Ｌｎをフォーカシングレンズとすることにより、迅速なフォーカシングを容易にしている。負レンズ要素Ｌｎは無限物体から至近物体へのフォーカシングに際し、像側へ移動する。
【０１０７】
負レンズ要素Ｌｎを像側に凸面を向けたメニスカス形状とすることにより、軸外光線とコンセントリックな配置している。これにより、無限物体から至近物体へのフォーカシングに際し像側へ移動後も軸外光線とのコンセントリック性が変わらないようにして、フォーカシングによる軸外収差、例えば像面変動を良好に補正している。
【０１０８】
負レンズ要素Ｌｎに関する実線の曲線Ｌｎａと点線の曲線Ｌｎｂは、各々無限遠物体と近距離物体にフォーカスしているときの変倍に伴う像面変動を補正するための移動軌跡である。また望遠端において、無限遠物体から近距離物体へフォーカスを行う場合には、矢印Ｌｎｃに示す如く負レンズ要素Ｌｎを像側に繰り込むことで行っている。また、第４レンズ群Ｌ４を負の屈折力のレンズ要素Ｌｎより構成し、その像側に正の屈折力の第５レンズ群Ｌ５の異符号の焦点距離持つレンズ群を配置している。
【０１０９】
これにより、負レンズ要素Ｌｎにある程度強い負の屈折力を持たせることができるため、位置敏感度が高くなり、負レンズ要素Ｌｎのフォーカシングによる移動量を少なくして、全系の小型化を容易にしている。
【０１１０】
各実施例のズーミングに際しての移動は次のとおりである。
＜実施例１＞
広角端から望遠端へのズーミングに際して、第１レンズ群Ｌ１は像側に凸状の軌跡で移動する。開口絞りＳＰ１は第２レンズ群Ｌ２に対して物体側に凸状の軌跡で物体側へ移動する。第２レンズ群Ｌ２は物体側に移動し、第３レンズ群Ｌ３は物体側に移動し、第４レンズ群Ｌ４は像側へ移動している。ここで中間１のズーム位置Ｚ１はズーミングにおいて第１レンズ群Ｌ１が最も像側に位置するズーム位置である。
【０１１１】
＜実施例２＞
広角端から望遠端へのズーミングに際して、第１レンズ群Ｌ１は像側に凸状の軌跡で移動する。開口絞りＳＰ１は第２レンズ群Ｌ２に対して物体側に凸状の軌跡で物体側へ移動する。第２レンズ群Ｌ２は物体側に移動し、第３レンズ群Ｌ３は物体側に移動し、第４レンズ群Ｌ４は物体側に移動し、第５レンズ群Ｌ５は像側に移動している。ここで中間１のズーム位置はズーミングにおいて第１レンズ群Ｌ１が最も像側に位置するズーム位置である。
【０１１２】
＜実施例３＞
広角端から望遠端へのズーミングに際して、第１レンズ群Ｌ１は像側に凸状の軌跡で物体側へ移動する。開口絞りＳＰ１は第２レンズ群Ｌ２に対して物体側に凸状の軌跡で物体側へ移動する。第２レンズ群Ｌ２は物体側に移動し、第３レンズ群Ｌ３は物体側に移動し、第４レンズ群Ｌ４は像側へ移動している。中間１のズーム位置はズーミングにおいて第１レンズ群Ｌ１が最も像側に位置するズーム位置である。
【０１１３】
＜実施例４＞
広角端から望遠端へのズーミングに際して、第１レンズ群Ｌ１は像側に凸状の軌跡で物体側へ移動する。開口絞りＳＰ１は第２レンズ群Ｌ２に対して物体側に凸状の軌跡で物体側へ移動する。第２レンズ群Ｌ２は物体側に移動し、第３レンズ群Ｌ３は物体側に移動し、第４レンズ群Ｌ４は像側へ移動している。中間１のズーム位置はズーミングにおいて第１レンズ群Ｌ１が最も像側に位置するズーム位置である。
【０１１４】
＜実施例５＞
広角端から望遠端へのズーミングに際して、第１レンズ群Ｌ１は像側に凸状の軌跡で物体側へ移動する。開口絞りＳＰ１は第２レンズ群Ｌ２に対して物体側に凸状の軌跡で物体側へ移動する。第２レンズ群Ｌ２は物体側に移動し、第３レンズ群Ｌ３は物体側に移動し、第４レンズ群Ｌ４は像側へ移動している。中間１のズーム位置はズーミングにおいて第１レンズ群Ｌ１が最も像側に位置するズーム位置である。
【０１１５】
＜実施例６＞
広角端から望遠端へのズーミングに際して、第１レンズ群Ｌ１は像側に凸状の軌跡で移動する。フレアーカット絞りＳＰ２は物体側へ移動する。第２レンズ群Ｌ２は物体側に移動し、第３レンズ群Ｌ３は物体側に移動し、第４レンズ群Ｌ４は物体側に移動し、第５レンズ群Ｌ５は像側に移動している。開口絞りＳＰ１は第２レンズ群Ｌ２の像側に配置し、第２レンズ群Ｌ２と一体で（同じ軌跡で）移動する。中間１のズーム位置はズーミングにおいて第１レンズ群Ｌ１が最も像側に位置するズーム位置である。
【０１１６】
＜実施例７＞
広角端から望遠端へのズーミングに際して、第１レンズ群Ｌ１は像側に凸状の軌跡で移動する。フレアーカット絞りＳＰ２は物体側へ移動する。第２レンズ群Ｌ２は物体側に移動し、第３レンズ群Ｌ３は物体側に移動し、第４レンズ群Ｌ４は物体側に移動し、第５レンズ群Ｌ５は像側に移動している。開口絞りＳＰ１は第２レンズ群Ｌ２の像側に配置し、第２レンズ群Ｌ２と一体で移動する。中間１のズーム位置はズーミングにおいて第１レンズ群Ｌ１が最も像側に位置するズーム位置である。
【０１１７】
＜実施例８＞
広角端から望遠端へのズーミングに際して、第１レンズ群Ｌ１は像側に凸状の軌跡で移動する。フレアーカット絞りＳＰ２は物体側へ移動する。第２レンズ群Ｌ２は像側に移動し、第３レンズ群Ｌ３は物体側に移動し、第４レンズ群Ｌ４は物体側に移動し、第５レンズ群Ｌ５は像側に移動している。開口絞りＳＰ１は第２レンズ群Ｌ２の像側に配置し、第２レンズ群Ｌ２と一体で移動する。中間１のズーム位置はズーミングにおいて第１レンズ群Ｌ１が最も像側に位置するズーム位置である。
【０１１８】
次に本発明のズームレンズを撮像光学系として用いたデジタルカメラ（光学機器）の実施形態を図１７を用いて説明する。図１７において、２０はデジタルカメラ本体、２１は上述の実施例のズームレンズによって構成された撮像光学系、２２は撮像光学系２１によって被写体像を受光するＣＣＤ等の撮像素子、２３は撮像素子２２が受光した被写体像を記録する記録手段である。２４は不図示の表示素子に表示された被写体像を観察するためのファインダーである。
【０１１９】
上記表示素子は液晶パネル等によって構成され、撮像素子２２上に形成された被写体像が表示される。２４は前記ファインダーと同等の機能を有する液晶表示パネルである。このように本発明のズームレンズをデジタルカメラ等の撮像装置に適用することにより、小型で高い光学性能を有する撮像装置を実現している。尚、本発明のズームレンズは、ビデオカメラやデジタルスチルカメラ等の撮像光学系の他、プロジェクター等の投射光学系にも用いることができる。
【０１２０】
次に本発明の各実施例の数値データを示す。各数値データにおいてｉは物体側からの面の順序を示し、ｒｉはレンズ面の曲率半径、ｄｉは第ｉ面と第ｉ＋１面との間のレンズ肉厚及び空気間隔、ｎｄｉ、νｄｉはそれぞれｄ線に対する材料の屈折率、アッベ数を示す。ＢＦはバックフォーカスであり、最終レンズ面から像面までの空気換算での距離で示している。レンズ全長は第１レンズ面から最終レンズ面までの距離にバックフォーカスを加えた値である。
【０１２１】
数値データにおいてＷは広角端、Ｚ１は中間１のズーム位置、Ｚ２は中間２のズーム位置、Ｔは望遠端である。また、最も像側の２面はフェースプレート等のガラス材である。非球面形状は光軸方向にＸ軸、光軸と垂直方向にＨ軸、光の進行方向を正としＲを近軸曲率半径、Ｋを円錐定数、Ａ４、Ａ６、Ａ８、Ａ１０を各々非球面係数としたとき、
【０１２２】
【数１】
2018084737.tif 000003
【０１２３】
なる式で表している。また［ｅ＋Ｘ］は［×１０＋ｘ］を意味し、［ｅ−Ｘ］は［×１０＋ｘ］を意味している。非球面は面番号の後に＊を付加して示す。また、各光学面の間隔dが（可変）となっている部分は、ズーミングに際して変化するものであり、別表に焦点距離に応じた面間隔を記している。各条件式と数値データの関係を表１、表２に示す。 
【０１２４】
［数値データ１］
単位 mm
面データ
面番号       r        d      nd         νd 
1        207.505    0.70   1.95375    32.3 
2         19.029    4.30                   
3*      -111.140    1.20   1.58313    59.4
4*       129.019    1.14                  
5         29.209    2.00   1.95906    17.5
6         70.616  (可変)                  
7          ∞     (可変)                    (開口絞り)
8*        15.802    3.05   1.76802    49.2
9*      -121.661    1.68                  
10         21.620    2.60   1.95375    32.3
11        -23.989    0.68   1.85478    24.8
12         10.183    2.74                  
13          ∞     (可変)                    (フレアーカット絞り)
14        -60.771    1.35   1.88300    40.8
15        -22.963    3.23                  
16        -19.359    0.70   1.64769    33.8
17        -48.995  (可変)                  
18         67.939    4.20   1.59201    67.0
19*       -50.748  (可変)                  
20          ∞       1.33   1.51633    64.1
21          ∞       0.50                   
像面        ∞   
【０１２５】
非球面データ
第3面
K  = 0.00000e+000  A 4= 7.36320e-005  A 6=-8.97020e-007 
A 8= 5.90302e-009  A10=-1.53132e-011  
第4面
K  = 0.00000e+000  A 4= 6.74905e-005  A 6=-8.49827e-007 
A 8= 5.48969e-009  A10=-1.40511e-011  
第8面
K  =-1.41037e-002  A 4=-3.65214e-005  A 6=-6.78959e-008 
A 8=-2.82948e-010  
第9面
K = 0.00000e+000  A 4= 9.54789e-006  
第19面
K  = 0.00000e+000  A 4= 1.85797e-005  A 6=-3.61932e-008 
A 8= 4.65755e-011  
【０１２６】
各種データ
ズーム比      2.83 
Ｗ      Ｚ１      Ｚ２      Ｔ
焦点距離            17.92    24.00    30.22    50.67  
Fナンバー            2.88     4.66     4.66     5.77  
半画角（度）        33.98    29.23    23.97    14.85  
像高                12.08    13.43    13.43    13.43  
レンズ全長          74.02    72.07    73.22    84.23  
BF                   9.13     8.47     7.93     4.71  
開口絞り径          19.92     8.98    10.19    12.17
フレアーカット絞り径 9.25     9.25     9.25     9.25
d 6                 21.93    13.02     7.65     1.76  
d 7                  0.03     0.93     1.38     0.10  
d13                  6.25     6.28     6.49     8.26  
d17                  7.11    13.81    20.19    39.83  
d19                  7.75     7.09     6.55     3.34  
ズームレンズ群データ
群  始面    焦点距離  レンズ構成長
1    1     -30.79         9.35
2    8      26.71        10.74
3   14     181.74         5.28
4   18      49.72         4.20
単レンズデータ
レンズ  始面  焦点距離
1       1    -22.01
2       3   -102.20
3       5     50.74
4       8     18.39
5      10     12.26
6      11     -8.29
7      14     41.11
8      16    -49.87
9      18     49.72
10      20      0.00
【０１２７】
［数値データ２］
単位 mm
面データ
面番号       r        d      nd         νd 
1         78.141    0.70   2.00100    29.1
2         20.410    4.50                  
3*       -85.253    1.20   1.58313    59.4 
4*        47.721    0.88                  
5         24.356    2.10   1.95906    17.5
6         48.874  (可変)                  
7          ∞     (可変)                   (開口絞り)
8*        17.884    3.00   1.77250    49.5
9*       -92.719    1.60                  
10         25.042    2.80   1.95375    32.3
11        -17.452    0.60   1.85478    24.8 
12         12.115    2.74                   
13          ∞     (可変)                   (フレアーカット絞り)
14        138.529    2.10   1.88300    40.8
15        -25.744  (可変)                   
16        -16.543    0.70   1.83400    37.2
17      -2056.249  (可変)                   
18*       325.393    5.40   1.59201    67.0
19*       -22.665  (可変)                  
20          ∞       1.33   1.51633    64.1
21          ∞       0.50                  
像面        ∞   
【０１２８】
非球面データ
第3面
K = 0.00000e+000  A 4= 4.88067e-005  A 6=-7.64700e-007  A 8= 5.74007e-009  A10=-1.59972e-011  
第4面
K = 0.00000e+000  A 4= 6.15414e-005  A 6=-7.76157e-007  A 8= 6.26165e-009  A10=-1.78848e-011  
第8面
K =-1.41037e-002  A 4=-3.20125e-005  A 6=-9.70282e-008  A 8= 1.23908e-010  
第9面
K = 0.00000e+000  A 4= 1.13464e-005  
第18面
K = 0.00000e+000  A 4=-1.12877e-005  
第19面
K = 0.00000e+000  A 4= 2.86502e-005  A 6=-5.91750e-008  A 8= 1.02741e-010  
【０１２９】
各種データ
ズーム比      2.83 
Ｗ      Ｚ１      Ｚ２      Ｔ
焦点距離            17.92    24.95    30.21    50.67  
Fナンバー            2.88     4.66     4.66     5.77  
半画角（度）        33.98    28.29    23.98    14.85  
像高                12.08    13.43    13.43    13.43  
レンズ全長          73.69    71.35    72.21    82.19  
BF                   7.74     7.70     7.56     5.19  
開口絞り径          12.44     8.95     9.92    11.73
フレアーカット絞り径 9.60     9.60     9.60     9.60
d 6                 21.60    12.05     7.88     2.08  
d 7                 -0.00     0.97     1.40     0.92  
d13                  7.64     8.13     8.60    10.96  
d15                  4.44     4.88     5.14     5.63  
d17                  3.95     9.30    13.31    29.09  
d19                  6.36     6.32     6.18     3.81  
ズームレンズ群データ
群  始面    焦点距離  レンズ構成長 
1    1     -29.29         9.38 
2    8      26.33        10.74
3   14      24.73         2.10
4   16     -20.00         0.70
5   18      36.00         5.40
単レンズデータ
レンズ  始面  焦点距離
1       1    -27.77
2       3    -52.29
3       5     48.59
4       8     19.64
5      10     11.14
6      11     -8.29
7      14     24.73
8      16    -20.00
9      18     36.00
10      20      0.00
【０１３０】
［数値データ３］
単位 mm
面データ
面番号       r        d      nd         νd 
1        536.401    0.70   1.95375    32.3
2         19.779    4.49                   
3*       -76.283    1.20   1.58313    59.4
4*      5486.467    1.07                   
5         30.941    1.90   1.98738    16.4
6         67.513  (可変)                  
7          ∞     (可変)                  (開口絞り)
8*        15.407    3.20   1.76802    49.2
9*      -150.024    1.90                  
10         24.959    2.30   1.91082    35.3
11        -42.360    0.60   1.80518    25.4
12         10.678    2.74                  
13          ∞     (可変)                  (フレアーカット絞り)
14        -35.965    1.00   1.80400    46.6
15        -19.777    3.04                  
16        -21.711    0.70   1.68893    31.1
17        -30.300  (可変)                  
18       -111.287    2.80   1.53160    55.8
19*       -28.131  (可変)                   
20          ∞       1.33   1.51633    64.1
21          ∞       0.50                   
像面        ∞   
【０１３１】
非球面データ
第3面
K  = 0.00000e+000  A 4= 7.16637e-005  A 6=-9.10528e-007 
A 8= 5.66875e-009  A10=-1.31102e-011  
第4面
K  = 0.00000e+000  A 4= 6.48111e-005  A 6=-8.51166e-007 
A 8= 5.26319e-009  A10=-1.19707e-011  
第8面
K  =-1.41037e-002  A 4=-2.85442e-005  A 6=-4.85454e-008 
A 8=-1.13473e-011  
第9面
K = 0.00000e+000   A 4= 1.95828e-005  
第19面
K  = 0.00000e+000  A 4= 3.76893e-005  A 6=-6.04208e-008 
A 8= 5.13324e-011  
【０１３２】
各種データ
ズーム比      2.83 
Ｗ      Ｚ１      Ｚ２      Ｔ
焦点距離            17.92    26.81    30.27    50.67  
Fナンバー            2.88     4.66     4.66     5.77  
半画角（度）        33.98    26.61    23.93    14.85  
像高                12.08    13.43    13.43    13.43  
レンズ全長          76.44    73.70    74.35    84.25  
BF                  10.29     9.04     8.60     4.70  
開口絞り径          13.01     9.72    10.40    12.32
フレアーカット絞り径 9.68     9.68     9.68     9.68
d 6                 22.80    10.76     8.09     1.92  
d 7                  1.31     1.98     2.02     0.21  
d13                  1.50     1.89     2.06     3.11  
d17                 12.90    22.39    25.95    46.67  
d19                  8.91     7.67     7.22     3.32  
ズームレンズ群データ
群  始面    焦点距離  レンズ構成長
1    1     -30.00         9.36
2    8      28.85        10.74
3   14      96.93         4.74
4   18      70.00         2.80 
単レンズデータ
レンズ  始面  焦点距離
1       1    -21.55
2       3   -129.01
3       5     56.39
4       8     18.35
5      10     17.53
6      11    -10.54
7      14     53.19
8      16   -115.00
9      18     70.00
10      20      0.00
【０１３３】
［数値データ４］
単位 mm
面データ
面番号       r        d      nd         νd 
1        129.702    0.70   2.00100    29.1
2         21.848    4.22                  
3*       -90.353    1.20   1.58573    59.7
4*       125.242    0.30                   
5         27.012    1.95   1.98738    16.4
6         55.382  (可変)                  
7          ∞     (可変)                  (開口絞り)
8*        14.630    2.50   1.77250    49.5
9*       106.425    0.46                  
10         19.739    3.10   2.00100    29.1
11        -15.459    1.20   1.84666    23.9
12          9.549    2.74                   
13          ∞     (可変)                   (フレアーカット絞り)
14       -158.581    1.60   1.88300    40.8
15        -22.891    2.70                  
16        -16.587    1.00   1.68893    31.1
17        -65.256  (可変)                   
18       1000.000    5.20   1.59201    67.0 
19*       -23.763  (可変)                   
20          ∞       1.33   1.51633    64.1
21          ∞       0.50                   
像面        ∞   
【０１３４】
非球面データ
第3面
K  = 0.00000e+000  A 4= 6.05398e-005  A 6=-8.76481e-007 
A 8= 5.61164e-009  A10=-1.41580e-011  
第4面
K  = 0.00000e+000  A 4= 6.20871e-005  A 6=-8.63409e-007 
A 8= 5.60626e-009  A10=-1.40841e-011  
第8面
K  =-1.41037e-002  A 4=-2.04600e-005  A 6=-1.51668e-007 
A 8=-1.52346e-009  
第9面
K = 0.00000e+000   A 4= 4.43498e-005  
第19面
K  = 0.00000e+000  A 4= 3.33533e-005  A 6=-5.76093e-008 
A 8= 8.28073e-011  
【０１３５】
各種データ
ズーム比      2.83 
Ｗ      Ｚ１      Ｚ２      Ｔ
焦点距離            17.92    24.87    30.08    50.67  
Fナンバー            2.88     4.66     5.77     5.77  
半画角（度）        33.97    28.37    24.07    14.85  
像高                12.08    13.43    13.43    13.43  
レンズ全長          68.54    66.13    67.09    77.10  
BF                  10.61    10.24     9.96     4.70  
開口絞り径          10.96     7.95     8.86    11.08
フレアーカット絞り径 8.61     8.61     8.61     8.61
d 6                 19.12     9.51     5.44     1.43  
d 7                  1.32     1.93     2.00     0.07  
d13                  4.01     4.49     5.17     9.27  
d17                  4.61    11.10    15.64    32.75  
d19                  9.23     8.86     8.58     3.32  
ズームレンズ群データ
群  始面    焦点距離  レンズ構成長  前側主点位置  後側主点位置
1    1     -35.00         8.37        -0.74         -7.49
2    8      26.50        10.01        -5.97        -10.77
3   14     205.31         5.30       -13.86        -16.84
4   18      39.28         5.20         3.20         -0.08
単レンズデータ
レンズ  始面  焦点距離
1       1    -26.33
2       3    -89.43
3       5     51.64
4       8     21.70
5      10      9.06
6      11     -6.82
7      14     30.13
8      16    -32.56
9      18     39.28
10      20      0.00
【０１３６】
［数値データ５］
単位 mm
面データ
面番号       r        d      nd         νd 
1         75.221    0.85   2.00100    29.1
2         15.921    4.89                   
3*        79.381    1.20   1.58573    59.7
4*        29.103    0.46                   
5         23.297    2.60   1.95906    17.5
6         57.093  (可変)                  
7          ∞     (可変)                   (開口絞り)
8*        15.590    3.00   1.76802    49.2 
9*      -117.370    1.80                   
10         21.070    2.60   1.95375    32.3
11        -17.069    0.60   1.85478    24.8
12          9.894    2.74                  
13          ∞     (可変)                  (フレアーカット絞り)
14        -48.772    1.20   1.95375    32.3
15        -21.108    3.65                  
16        -17.849    1.55   1.67300    38.1 
17        -13.070    0.50   1.72825    28.5
18        -35.815  (可変)                  
19        390.483    4.00   1.77250    49.5
20*       -32.506  (可変)                  
21          ∞       1.33   1.51633    64.1
22          ∞       0.50                   
像面        ∞   
【０１３７】
非球面データ
第3面
K  = 0.00000e+000  A 4=-6.05471e-006  A 6=-9.00196e-008 
A 8= 2.28454e-010  A10= 1.53273e-013  
第4面
K  = 0.00000e+000  A 4=-1.85895e-005  A 6=-7.76554e-008 
A 8=-1.34331e-010  A10= 1.33253e-012  
第8面
K  =-1.41037e-002  A 4=-4.05288e-005  A 6=-1.12534e-007 
A 8=-1.71263e-010  
第9面
K = 0.00000e+000  A 4= 1.44621e-005  
第20面
K  = 0.00000e+000  A 4= 2.62531e-005  A 6=-4.58940e-008 
A 8= 4.67097e-011  
【０１３８】
各種データ
ズーム比      2.83 
Ｗ       Ｚ１      Ｚ２      Ｔ
焦点距離             15.45    22.11    26.14    43.70  
Fナンバー             2.88     4.66     4.66     5.77  
半画角（度）         38.01    31.28    27.20    17.09  
像高                 12.08    13.43    13.43    13.43  
レンズ全長           73.44    70.43    71.10    80.60  
BF                    8.52     8.31     8.09     5.92  
開口絞り径           11.33     8.15     8.89    10.64
フレアーカット絞り径 18.07    18.07    18.07    18.07
d 6                  23.20    11.70     7.75     2.31  
d 7                  -0.00     1.51     1.94     0.10  
d13                   3.83     4.47     4.89     6.81  
d18                   6.24    12.80    16.79    33.81  
d20                   7.15     6.93     6.71     4.54  
ズームレンズ群データ
群  始面    焦点距離  レンズ構成長
1    1     -29.19        10.00
2    8      25.65        10.74
3   14     152.15         6.90
4   19      39.01         4.00
単レンズデータ
レンズ  始面  焦点距離
1       1    -20.32
2       3    -79.15
3       5     39.55
4       8     18.10
5      10     10.23
6      11     -7.25
7      14     38.21
8      16     64.17
9      17    -28.53
10      19     39.01
11      21      0.00
【０１３９】
［数値データ６］
単位 mm
面データ
面番号       r        d      nd         νd 
1        119.543    1.00   2.00100    29.1
2         19.873    5.00                  
3*       458.935    1.20   1.58573    59.7
4*        42.611    0.30                   
5         28.676    2.80   1.95906    17.5
6         75.584  (可変)                  
7          ∞     (可変)                  (フレアーカット絞り)
8*        19.601    4.10   1.85135    40.1
9*      -151.889    1.59                  
10         23.782    3.35   1.88300    40.8
11        -41.943    0.90   1.85478    24.8
12         11.824    3.47                  
13          ∞     (可変)                  (開口絞り)
14        -79.080    1.00   1.69895    30.1
15         22.787    3.40   1.88300    40.8
16        -30.276  (可変)                   
17*       -24.661    1.00   1.69350    53.2
18*      -103.995  (可変)                  
19        271.789    5.20   1.59201    67.0
20*       -28.000  (可変)                  
21          ∞       1.33   1.51633    64.1
22          ∞       0.50                  
像面        ∞   
【０１４０】
非球面データ
第3面
K  = 0.00000e+000  A 4= 4.53879e-006  A 6= 2.34933e-008 
A 8=-3.59319e-011  
第4面
K  = 0.00000e+000  A 4= 2.45740e-006  A 6= 2.28049e-008 
A 8=-7.15321e-011  
第8面
K =-1.41037e-002  A 4=-1.75432e-005  A 6=-2.58142e-008  
第9面
K = 0.00000e+000  A 4= 3.91835e-006  
第17面
K  = 0.00000e+000  A 4= 6.78495e-006  A 6= 5.71769e-007 
A 8=-3.12591e-009  
第18面
K  = 0.00000e+000  A 4= 1.98153e-005  A 6= 4.50674e-007 
A 8=-2.34101e-009  
第20面
K  = 0.00000e+000  A 4= 2.04557e-005  A 6=-4.26708e-008 
A 8= 5.19628e-011  
【０１４１】
各種データ
ズーム比      2.83 
Ｗ      Ｚ１      Ｚ２      Ｔ
焦点距離             17.91    25.26    30.05    50.67  
Fナンバー             2.06     3.94     3.94     5.05  
半画角（度）         33.99    28.00    24.09    14.85  
像高                 12.08    13.43    13.43    13.43  
レンズ全長           83.97    81.10    81.74    90.09  
BF                   11.73    10.72     9.96     6.09  
フレアーカット絞り径 17.54    17.54    17.54    17.54
開口絞り径           12.54     7.97     8.95    10.23
d 6                  22.89    12.65     8.86     2.00  
d 7                   2.00     1.58     1.19    -1.00  
d13                   3.57     5.59     6.71     9.96  
d16                   2.70     4.70     5.90    10.00  
d18                   6.78    11.55    14.81    28.73  
d20                  10.35     9.35     8.58     4.72  
ズームレンズ群データ
群  始面    焦点距離  レンズ構成長
1    1     -31.73        10.30
2    8      30.43        13.41
3   14      34.92         4.40
4   17     -46.86         1.00
5   19      43.16         5.20
単レンズデータ
レンズ  始面  焦点距離
1       1    -23.93
2       3    -80.28
3       5     46.81
4       8     20.62
5      10     17.61
6      11    -10.71
7      14    -25.21
8      15     15.18
9      17    -46.86
10      19     43.16
11      21      0.00
【０１４２】
［数値データ７］
単位 mm
面データ
面番号       r        d      nd         νd 
1        124.624    1.00   1.95375    32.3 
2         18.592    5.00                  
3*        85.328    1.20   1.58573    59.7
4*        27.074    0.90                   
5         25.277    2.90   1.95906    17.5
6         52.371  (可変)                  
7          ∞     (可変)                  (フレアーカット絞り)
8*        19.827    3.65   1.85135    40.1
9*      -139.372    1.98                  
10         22.498    3.40   1.88300    40.8
11        -33.347    0.70   1.85478    24.8
12         11.684    3.47                   
13          ∞     (可変)                   (開口絞り)
14        -92.491    0.70   1.68893    31.1
15         21.848    3.15   1.88300    40.8
16        -31.232  (可変)                  
17*       -27.875    1.00   1.69350    53.2
18*      -132.778  (可変)                  
19         94.089    5.20   1.53160    55.8
20*       -26.340  (可変)                  
21          ∞       1.33   1.51633    64.1
22          ∞       0.50                 
像面        ∞   
【０１４３】
非球面データ
第3面
K  = 0.00000e+000  A 4= 3.43444e-006  A 6= 3.51910e-008 
A 8=-9.88586e-011  
第4面
K  = 0.00000e+000  A 4=-4.93620e-006  A 6= 3.58178e-008 
A 8=-1.78265e-010  
第8面
K =-1.41037e-002  A 4=-1.76608e-005  A 6=-1.97003e-008  
第9面
K = 0.00000e+000  A 4= 5.17749e-006  
第17面
K  = 0.00000e+000  A 4= 1.31820e-005  A 6= 4.64891e-007 
A 8=-1.24242e-009  
第18面
K = 0.00000e+000  A 4= 2.57046e-005  A 6= 3.27357e-007  
第20面
K = 0.00000e+000  A 4= 4.76804e-005  A 6=-1.03328e-007 
A 8= 1.16138e-010  
【０１４４】
各種データ
ズーム比      2.85 
Ｗ      Ｚ１      Ｚ２      Ｔ
焦点距離             15.45    21.67    25.96    44.00  
Fナンバー             2.06     3.94     3.94     5.05  
半画角（度）         38.01    31.80    27.36    16.98  
像高                 12.08    13.43    13.43    13.43  
レンズ全長           82.38    79.56    80.27    89.83  
BF                    9.77     8.99     8.37     5.52  
フレアーカット絞り径 17.20    17.20    17.20    17.20
開口絞り径           11.75     7.43     8.38     9.64
d 6                  24.44    14.11     9.96     2.52  
d 7                   0.27     0.57     0.61    -0.42  
d13                   3.83     5.52     6.54     9.54  
d16                   2.70     4.90     6.22    10.00  
d18                   7.13    11.22    14.32    28.41  
d20                   8.39     7.61     6.99     4.15  
ズームレンズ群データ
群  始面    焦点距離  レンズ構成長
1    1     -27.13        11.00
2    8      29.23        13.20
3   14      33.61         3.85
4   17     -51.08         1.00
5   19      39.30         5.20
単レンズデータ
レンズ  始面  焦点距離
1       1    -23.02
2       3    -68.22
3       5     48.41
4       8     20.61
5      10     15.66
6      11    -10.05
7      14    -25.59
8      15     14.98
9      17    -51.08
10      19     39.30
11      21      0.00
【０１４５】
［数値データ８］
単位 mm
面データ
面番号       r        d      nd         νd 
1         95.238    1.00   1.95375    32.3
2         16.551    4.95                   
3*       163.941    1.20   1.58573    59.7 
4*        22.306    0.30                  
5         21.791    2.70   1.95906    17.5
6         48.506  (可変)                  
7          ∞     (可変)                  (フレアーカット絞り)
8*        20.044    3.65   1.85135    40.1
9*      -132.773    2.00                   
10         23.893    3.60   1.88300    40.8
11        -31.622    0.60   1.85478    24.8
12         12.103    3.47                   
13          ∞     (可変)                  (開口絞り)
14        -99.847    0.70   1.68893    31.1
15         16.212    3.20   1.88300    40.8
16        -29.839  (可変)                  
17*       -39.331    1.00   1.69350    53.2
18       -295.311  (可変)                  
19         54.599    4.90   1.53160    55.8
20*       -38.433  (可変)                  
21          ∞       1.33   1.51633    64.1
22          ∞       0.50                   
像面        ∞   
【０１４６】
非球面データ
第3面
K  = 0.00000e+000  A 4= 6.04806e-006  A 6= 2.42287e-008 
A 8=-1.96609e-010  
第4面
K  = 0.00000e+000  A 4=-4.92366e-006  A 6=-7.21399e-009 
A 8=-2.13759e-010  
第8面
K =-1.41037e-002  A 4=-2.00249e-005  A 6=-2.60865e-008  
第9面
K = 0.00000e+000  A 4= 3.24922e-006  
第17面
K  = 0.00000e+000  A 4=-2.06926e-005  A 6= 5.80675e-008 
A 8=-2.86018e-009  
第20面
K  = 0.00000e+000  A 4= 2.50240e-005  A 6=-1.45605e-008 
A 8= 2.23194e-011  
【０１４７】
各種データ
ズーム比      2.85 
Ｗ      Ｚ１      Ｚ２      Ｔ
焦点距離             15.45    15.92    26.04    44.00  
Fナンバー             2.06     2.20     5.00     5.78  
半画角（度）         38.01    37.18    27.29    16.98  
像高                 12.08    12.08    13.43    13.43  
レンズ全長           77.62    77.61    82.38    96.21  
BF                    9.94     9.87     8.04     4.70  
フレアーカット絞り径 15.78    15.78    15.78    15.78
開口絞り径           12.16    11.58     7.04     9.01
d 6                  16.88    16.27     8.53     2.21  
d 7                   1.43     1.32    -0.43    -0.95  
d13                   4.11     4.21     6.07     8.22  
d16                   3.16     3.28     5.77    10.00  
d18                   8.83     9.39    21.14    38.77  
d20                   8.56     8.49     6.66     3.32  
ズームレンズ群データ
群  始面    焦点距離  レンズ構成長
1    1     -22.00        10.15
2    8      29.60        13.32
3   14      28.96         3.90
4   17     -65.53         1.00
5   19      43.22         4.90
単レンズデータ
レンズ  始面  焦点距離
1       1    -21.14
2       3    -44.22
3       5     39.31
4       8     20.68
5      10     15.90
6      11    -10.18
7      14    -20.20
8      15     12.30
9      17    -65.53
10      19     43.22
11      21      0.00
【０１４８】
【表１】
2018084737.tif 000004
【０１４９】
【表２】
2018084737.tif 000005
【符号の説明】
【０１５０】
Ｌ１  第１レンズ群      Ｌ２  第２レンズ群      Ｌ３  第３レンズ群
Ｌ４  第４レンズ群      Ｌ５  第５レンズ群      ＬＰ  正レンズ
ＬＭ  中間群            ＬＲ  最終レンズ群
【図１】
2018084737.tif 000006
【図２Ａ】
2018084737.tif 000007
【図２Ｂ】
2018084737.tif 000008
【図３】
2018084737.tif 000009
【図４Ａ】
2018084737.tif 000010
【図４Ｂ】
2018084737.tif 000011
【図５】
2018084737.tif 000012
【図６Ａ】
2018084737.tif 000013
【図６Ｂ】
2018084737.tif 000014
【図７】
2018084737.tif 000015
【図８Ａ】
2018084737.tif 000016
【図８Ｂ】
2018084737.tif 000017
【図９】
2018084737.tif 000018
【図１０Ａ】
2018084737.tif 000019
【図１０Ｂ】
2018084737.tif 000020
【図１１】
2018084737.tif 000021
【図１２Ａ】
2018084737.tif 000022
【図１２Ｂ】
2018084737.tif 000023
【図１３】
2018084737.tif 000024
【図１４Ａ】
2018084737.tif 000025
【図１４Ｂ】
2018084737.tif 000026
【図１５】
2018084737.tif 000027
【図１６Ａ】
2018084737.tif 000028
【図１６Ｂ】
2018084737.tif 000029
【図１７】
2018084737.tif 000030